(57)【要約】【課題】木製では実現することが出来なかった、超薄型でジグソーパズルの画像が縁に被らない、ジグソーパズル専用両面フレームを提供する。【解決手段】透明アクリル板と有色アクリル板を組み合わせることにより、ジグソーパズルの画像が縁に被る事がない、ジグソーパズル専用両面フレーム。【選択図】図１
0003203589.tif 000002
【実用新案登録請求の範囲】
【請求項１】
透明アクリル板、有色アクリル板、ネジ、有色カッティングシート、アクリル製台座で構成され、ジグソーパズルの画像が縁に被ることなく、ジグソーパズルの表面裏面を見せることを特徴とするジグソーパズル専用両面フレーム。
【請求項２】
枠組みを形成する有色アクリル板と、同色のカッティングシートを透明アクリル板に貼りあわせる事により、接着汚れを目立たなくし、インテリア性向上を特徴とする、超薄型のジグソーパズル専用両面フレーム。
【考案の詳細な説明】
【技術分野】
【０００１】
本考案は、ジグソーパズルを飾る為の専用フレームであり、格納したジグソーパズルを表面裏面の両面より画像が隠れることなく見ることができる、ジグソーパズル専用両面フレームである。
【背景技術】
【０００２】
現在、ジグソーパズルの両面フレームは、木製、アクリル板製と存在する。その基本的な考え方は、表面と裏面を透明のアクリル板で覆う事により、表面裏面両方よりジグソーパズルの画像を楽しむことができる。
【考案の概要】
【考案が解決しようとする課題】
【０００３】
従来型の木製両面フレームは、裏面から見た場合に、留め金がありデザイン的に芳しくないという問題点を有している。
【０００４】
木製であるために、超薄型のフレームを製作することができず、現在の薄型ブームに対応することができない。
【０００５】
従来型の木製両面フレームは壁掛け型になっていて、壁にかけた状態では裏面のジグソーパズルを観ることができないという問題点を有している。
【０００６】
木製両面フレームの場合、構造上パズルの周りの画像が隠れてしまい、文字などが見えなくなり、画像の価値が落ちることがある。
【０００７】
アクリル板における、ジグソーパズル専用の両面フレームも存在したが、ジグソーパズルをそのまま両面からアクリル板で挟み込むスタイルであるので、見た目も貧弱で商品価値が劣っていた。また、挟み込むだけのスタイルであるので、挟み込まれたジグソーパズル自体がゆがんでしまう可能性を有していた。
【課題を解決するための手段】
【０００８】
本考案は、材質をアクリル板を使うことにより、周りをアクリル製のねじでフレームを固定させる事ができるので、留めてあるねじが目立たずに、デザイン的にも優れたものにすることが出来る。
【０００９】
本考案は、材質をアクリル板にすることにより、厚み５ｍｍの超薄型のフレームを製造することができる。
【００１０】
本考案は、アクリル板製両面フレームをアクリル板製のスタンドにはめ込むことにより、壁かけることにより裏面が見えなくなるという木製両面フレームの問題点を解消することができる。
【００１１】
本考案は、ジグソーパズルの本体全てを露出させるスタイルになっているので、ジグソーパズルの周りが隠れて見えなくなる事がなく、画像の価値を損なうことがない。
【００１２】
本考案は、ジグソーパズルをぴったりと格納するスタイルになっていて、ジグソーパズル本体がずれたりする事がない。また、しっかりした構造であり、従来のアクリル板製と違い見た目も善く、商品価値も高い。
【考案の効果】
【００１３】
本考案の材質はアクリルであるので、木製品と違い再生利用が行いやすい、環境に優しい製品である。
【００１４】
本考案は、木製品では表現できなかった超薄型製品を可能にし、場所をとらないフレームである。
【図面の簡単な説明】
【００１５】
【図１】は、ジグソーパズル専用両面フレームの全体図である。
【図２】は、ジグソーパズル専用両面フレームを組み立てるときに必要な、ボルトとナットの図である。
【図３】は、ジグソーパズルの一例である。
【考案を実施するための形態】
【００１６】
本考案を実施するためには、透明アクリル表板と裏板（透明アクリル板と有色アクリル板を接着）の間にジグソーパズルをはめ込み、ポリカネジにて接合し、台座にはめ込むことにより使用可能となる。
【００１７】
ジグソーパズルを入れる内径は、ジグソーパズルの大きさによって自由に製造する事ができ、あらゆる大きさのジグソーパズルに対応することができる。また、ジグソーパズルは糊付けをすることにより膨張するので、その事を考慮し実際のジグソーパズルの大きさより0.５ｍｍ程度内径を大きくした。
【００１８】
アクリル板の長さが長くなると、表板と裏板を接合したときにたわみが出て隙間ができる欠点があったが、アクリル板の途中にねじ穴を増やし、接合部分を増やすことにより欠点を解決した。
【００１９】
アクリル板の幅が長くなると、アクリル板が湾曲する欠点があったが、台座の長さを長くし、本体部分のはめ込み部分を増やすことによりこの問題を解決した。
【実施例】
【００２０】
本ジグソーパズル専用両面フレームは、透明アクリル板１、有色アクリル板２aと有色アクリル板2bをつなぎ合わせ、アクリル板1bに接合した裏面で本体1を形成している。
【００２１】
表面と裏面との間にジグソーパズル8を挟みこむ事により、ジグソーパズル8が表面ならびに裏面からも眺める事ができることを可能になる。また、有色アクリル板2a,2bの厚みを替える事によりひとつのフレームに、ジグソーパズルを２枚装着する事も可能になる。
【００２２】
ジグソーパズルが装着された本体1は、ねじ穴３にボルト６およびナット７で固定することにより、はめ込み式台座４への装着が可能になる。ねじ穴は増やすことが可能であり、アクリル板の性質上アクリル板が長くなると湾曲する可能性があるので、それを防ぐために状況に合わせねじ穴を増やすことにより湾曲を解決した。
【００２３】
ジグソーパズル専用両面フレーム本体１の組み立てが終了したら、はめ込み式台座４にはめ込む事により完成である。はめ込み式台座４はアクリル板の湾曲を防ぐために状況に合わせ長めに設計されている。台座４にはめ込むときに透明アクリル板裏面1bの周りに有色アクリル板の幅で貼られているカッティングシートが剥がれる可能性があるので、これを防ぐためにはめ込み部分５のところの上部を面取りすることにより問題点を解決した。
【００２４】
ジグソーパズルは縦長のジグソーパズル、横長のジグソーパズルと２種類あるが、本考案は両方のジグソーパズルに対応することができる。
【００２５】
有色アクリル板2aおよび2bそして透明アクリル板１ｂで、裏面が形成されるが、透明アクリル板１bに、有色アクリル板2aならびに2bと見える同じ位置に有色アクリル板と同色のカッティングシートを貼ことにより、接着剤が見えなくする工夫を行った。
【産業上の利用可能性】
【００２６】
本考案はジグソーパズル専用のフレームになっているが、他に絵画やポスターなどへの応用も可能である。
【符号の説明】
【００２７】
1    本体（ジグソーパズル装着部）
1a     透明アクリル板表面
1b    アクリル板裏面（有色アクリル板+透明アクリル板）
2a  有色アクリル板短径部分
2b  有色アクリル板長径部分
3    ねじ穴
4    はめ込み式台座
5    はめ込み部分
6    ボルト
7    ナット
8    ジグソーパズル
【図１】
0003203589.tif 000003
【図２】
0003203589.tif 000004
【図３】
0003203589.tif 000005